(57)【特許請求の範囲】
【請求項１】
前面板１の両側縁に裏重片２及び側面板３を順次連設し、側面板３にフック部４を設け、前面板１の裏面に裏重片２を重ね、側面板３同士を重ね合わせた広告表示板。
【請求項２】
前面板１の端縁に繋片７を介して側面板３を繋ぎ、側面板３にフック部４を設け、側面板３を繋片７との境界を軸に前面板１から折り曲げた広告表示板。
【請求項３】
前記繋片７を前面板１の上端縁にのみ設け、前面板１の下端縁から延びる差込片８を、側面板３の切込９に差し込んだ請求項２に記載の広告表示板。
【請求項４】
前記繋片７を前面板１の上端縁にのみ設け、前面板１を湾曲させて、その下端部を側面板３の切込１０に差し込んだ請求項２に記載の広告表示板。
【発明の詳細な説明】
【０００１】
【発明の属する技術分野】
この発明は、店頭で陳列された商品を消費者へアピールする広告表示板に関するものである。
【０００２】
【従来の技術】
一般に、スーパー等の店頭において、図１０に示すように、商品Ｇを収納した複数個の箱Ｂを積み上げ、最上段の箱Ｂの上半部を切除し、トレー状とした箱Ｂから商品Ｇを露出させて陳列する場合がある。
【０００３】
この陳列に際して、消費者に商品をアピールするためには、最上段の箱Ｂの立壁から広告を印刷したポスターＰを垂れ下がらしておくことが考えられる。
【０００４】
【発明が解決しようとする課題】
しかしながら、このようなポスターによる表示では、側方から見ると、印刷面がよく見えないため、訴求力が低いという問題がある。
【０００５】
そこで、この発明は、前方からだけでなく、側方からも広告表示がよく見えるようにし、訴求力を向上させることを課題とする。
【０００６】
【課題を解決するための手段】
上記課題を解決するため、前面板の両側縁に裏重片及び側面板を順次連設し、側面板にフック部を設け、前面板の裏面に裏重片を重ね、側面板同士を重ね合わせた広告表示板を提供する。
【０００７】
また、前面板の端縁に繋片を介して側面板を繋ぎ、側面板にフック部を設け、側面板を繋片との境界を軸に前面板から折り曲げた広告表示板を提供する。
【０００８】
これらの広告表示板では、フック部をトレー等の立壁に引っ掛けると、前面板及び側面板の広告表示を前方及び両側方の三方向から見せることができる。
【０００９】
なお、後者の広告表示板では、繋片を前面板の上端縁にのみ設け、前面板の下端縁から延びる差込片を、側面板の切込に差し込んでもよく、前面板を湾曲させて、その下端部を側面板の切込に差し込んでもよい。
【００１０】
【発明の実施の形態】
この発明の第１実施形態を図１乃至図３に基づいて説明する。
【００１１】
この広告表示板は、図１に示す板紙製のブランクから形成される。このブランクでは、前面板１の両側縁に裏重片２及び側面板３が順次連設され、側面板３にはフック部４が設けられている。また、前面板１には、折目５が横方向に設けられ、裏重片２の外縁には、側面板３を切り込んで係合片６が設けられている。
【００１２】
このブランクを組み立てるには、図２に示すように、前面板１の裏面に裏重片２を重ね、各裏重片２から突出する係合片６を互いの抜出穴に差し込みつつ、側面板３同士を重ね合わせる。
【００１３】
このように組み立てると、前面板１と両側面板３とが９０°の角度をなし、側面板３同士のずれは係合片６で阻止されるので、形状が安定する。
【００１４】
そして、この広告表示板では、例えば、図３に示すように、フック部４をトレー状の箱Ｂの立壁に引っ掛けることにより、前面板１及び側面板３の表面に印刷した広告表示を前方及び両側方の三方向から見せることができる。
【００１５】
また、この広告表示板は、一枚の板紙を打ち抜くだけで製造でき、片面にだけに印刷を施せばよいので、低コストで供給でき、保管時には折目５を軸にコンパクトに折り畳んでおくことができる。
【００１６】
次に、この発明の第２実施形態を図４乃至図５に基づいて説明する。
【００１７】
この広告表示板は、図４に示す板紙製のブランクから形成される。このブランクでは、前面板１の両端縁に繋片７を介して側面板３が繋がれ、側面板３にフック部４が設けられている。前面板１の一側部は側面板３へ切り込まれ、側面板３の繋片７との境界は縦方向の折目となっている。
【００１８】
このブランクを組み立てるには、図５に示すように、側面板３を繋片７との境界を軸に前面板１から直角に折り曲げるだけでよく、この状態でフック部４をトレー等の立壁に引っ掛けると、前面板１の表面及び側面板３の両面に印刷した広告表示を前方及び両側方の三方向から見せることができる。
【００１９】
次に、この発明の第３実施形態を図６乃至図７に基づいて説明する。
【００２０】
この広告表示板は、図６に示す板紙製のブランクから形成され、上記第２実施形態のものと基本構成が共通しているが、そのブランクにおいて、繋片７は前面板１の上端縁にのみ設けられ、前面板１の下端縁から差込片８が延び、側面板３の下端部及び差込片８の先端部に、抜止用の突起を有する切込９，１０がそれぞれ設けられている。
【００２１】
このブランクを組み立てるには、図７に示すように、側面板３を繋片７との境界を軸に前面板１から直角に折り曲げ、差込片８の切込１０を側面板３の切込９に差し込む。
【００２２】
そして、この状態でフック部４をトレー等の立壁に引っ掛けると、前面板１の表面及び側面板３の両面に印刷した広告表示を前方及び両側方の三方向から見せることができる。
【００２３】
次に、この発明の第４実施形態を図８乃至図９に基づいて説明する。
【００２４】
この広告表示板は、図８に示す板紙製のブランクから形成され、上記第３実施形態のものと基本構成が共通しているが、そのブランクにおいて、切込９は前面板１の下端縁より上方に斜め下向きに形成され、切込１０は前面板１の下端部に形成されている。
【００２５】
このブランクを組み立てるには、図９に示すように、側面板３を繋片７との境界を軸に前面板１から直角に折り曲げ、前面板１を湾曲させつつ、その下端部の切込１０を側面板３の切込９に差し込む。
【００２６】
そして、この状態でフック部４をトレー等の立壁に引っ掛けると、前面板１の表面及び側面板３の両面に印刷した広告表示を前方及び両側方の三方向から見せることができ、前面板１の曲面で消費者の注意を引くことができる。
【００２７】
【発明の効果】
以上のように、この発明に係る広告表示板では、前面板と側面板とが角度をなすので、側面板に設けたフック部をトレー等の立壁に引っ掛けることにより、前面板及び側面板の広告表示を前方及び両側方の三方向から見せることができ、高い訴求効果を得ることができる。
【図面の簡単な説明】
【図１】この発明の第１実施形態のブランクを示す図
【図２】同上の組立状態を示す斜視図
【図３】同上の使用状態を示す斜視図
【図４】この発明の第２実施形態のブランクを示す図
【図５】同上の組立状態を示す斜視図
【図６】この発明の第３実施形態のブランクを示す図
【図７】同上の組立状態を示す斜視図
【図８】この発明の第４実施形態のブランクを示す図
【図９】同上の組立状態を示す斜視図
【図１０】従来のポスターによる広告表示を示す斜視図
【符号の説明】
１  前面板
２  裏重片
３  側面板
４  フック部
７  繋片
８  差込片
９，１０  切込
【図１】
0004471483.tif 000002
【図２】
0004471483.tif 000003
【図３】
0004471483.tif 000004
【図４】
0004471483.tif 000005
【図５】
0004471483.tif 000006
【図６】
0004471483.tif 000007
【図７】
0004471483.tif 000008
【図８】
0004471483.tif 000009
【図９】
0004471483.tif 000010
【図１０】
0004471483.tif 000011